(57)【要約】【課題】鍵ホルダの挿入作業中でも転倒しにくいとともに、広い作業スペースを必要としない。【解決手段】鍵管理装置１００は、鍵管理装置本体１０と、鍵管理装置本体１０に保持されるとともに、鍵が取り付けられる鍵ホルダ１と、鍵管理装置本体１０に設けられるとともに、鍵ホルダ１を保持する鍵ホルダ保持部２とを備え、鍵ホルダ保持部２には、鍵ホルダ１を挿入するための鍵ホルダ挿入孔２１が形成され、鍵ホルダ挿入孔２１は、鍵管理装置本体１０の高さ方向Ｈに対して傾斜する方向Ｉに形成される。【選択図】図３
2014231693.tif 000002
【特許請求の範囲】
【請求項１】
鍵管理装置本体と、
前記鍵管理装置本体に保持されるとともに、鍵が取り付けられる鍵ホルダと、
前記鍵管理装置本体に設けられるとともに、前記鍵ホルダを保持する鍵ホルダ保持部とを備え、
前記鍵ホルダ保持部には、前記鍵ホルダを挿入するための鍵ホルダ挿入孔が形成され、
前記鍵ホルダ挿入孔は、前記鍵管理装置本体の高さ方向に対して傾斜する方向に形成される鍵管理装置。
【請求項２】
前記鍵ホルダ挿入孔は、前記鍵ホルダが斜め下方向に向かって挿入されるように形成される請求項１に記載の鍵管理装置。
【発明の詳細な説明】
【技術分野】
【０００１】
本発明は、鍵の利用を管理する鍵管理装置に関する。
【背景技術】
【０００２】
従来用いられていたこの種の鍵管理装置としては、例えば下記の特許文献１等に示されている構成を挙げることができる。すなわち、特許文献１に記載される従来の装置は、持ち運び可能な箱形状の鍵管理機であり、通常は机等の水平面に直立させて使用するものである。
【０００３】
特許文献１の鍵管理機において、鍵管理機本体の前面板には、複数の鍵を管理するために鍵管理部が設けられている。そして、鍵が取り付けられた複数の鍵ホルダは、鍵管理部に設けられた挿入孔にそれぞれ挿入される。鍵管理部の挿入孔に挿入された鍵ホルダは、鍵管理機本体内部に設けられた錠機構により固定され、所定の解錠操作を行わなければ引き抜けないように施錠される。これにより、鍵の利用（持ち出し）が制限されている。
【先行技術文献】
【特許文献】
【０００４】
【特許文献１】特開２００３−１８４３６２号公報
【発明の概要】
【発明が解決しようとする課題】
【０００５】
しかしながら、特許文献１の鍵管理機においては、鍵管理機を水平面に直立させた状態で、鍵管理機本体の前面に設けられた挿入孔に対して垂直に鍵ホルダを挿入する必要があった。そのため、利用者が正面側から鍵ホルダを鍵管理部の挿入孔に差し込む力によって回転モーメントが発生し、鍵管理機が後方向に転倒してしまうおそれがあった。
【０００６】
このような鍵管理装置の後方向への転倒を防止するため、鍵管理装置の背面を、机の上に配置されたストッパで支えながら、鍵ホルダの挿入作業を行うという方法がある。しかし、ストッパを配置するための作業スペースも確保しなければならないという問題があった。また、鍵管理装置をあらかじめ背面を下にして机の上に寝かせ、上方向から下に向かって鍵ホルダを挿入孔に差し込むという方法もある。しかしながら、この場合も作業場所として鍵管理装置の背面よりも広いスペースを確保する必要があった。
【０００７】
この発明は上記のような問題を解決するためになされたものであり、鍵ホルダの挿入作業中でも転倒しにくいとともに、限られた作業スペースでも作業をしやすい鍵管理装置を提供することを目的とする。
【課題を解決するための手段】
【０００８】
上記の課題を解決するために、この発明に係る鍵管理装置は、鍵管理装置本体と、鍵管理装置本体に保持されるとともに、鍵が取り付けられる鍵ホルダと、鍵管理装置本体に設けられるとともに、鍵ホルダを保持する鍵ホルダ保持部とを備え、鍵ホルダ保持部には、鍵ホルダを挿入するための鍵ホルダ挿入孔が形成され、鍵ホルダ挿入孔は、鍵管理装置本体の高さ方向に対して傾斜する方向に形成される。
【０００９】
また、この発明に係る鍵管理装置の鍵ホルダ挿入孔は、鍵ホルダが斜め下方向に向かって挿入されるように形成されてもよい。
【発明の効果】
【００１０】
この発明に係る鍵管理装置によれば、鍵ホルダの挿入作業中でも転倒しにくいとともに、限られた作業スペースでも作業がしやすくなる。
【図面の簡単な説明】
【００１１】
【図１】本発明の実施の形態１に係る鍵管理装置を示す斜視図である。
【図２】実施の形態１に係る鍵管理装置を示す正面図である。
【図３】実施の形態１に係る鍵管理装置を示す左側面図である。
【図４】実施の形態１に係る鍵管理装置を示す右側面図である。
【図５】実施の形態１に係る鍵管理装置を示す平面図である。
【図６】実施の形態１に係る鍵管理装置を示す底面図である。
【図７】実施の形態１に係る鍵管理装置を示す背面図である。
【図８】実施の形態１に係る鍵管理装置において、利用者が鍵ホルダを挿入する時に発生するモーメントを模式的に示す図である。
【図９】鍵ホルダ挿入面の変形例に係る鍵管理装置を示す左側面図である。
【発明を実施するための形態】
【００１２】
以下、本発明を実施するための形態について、図面を参照して説明する。
実施の形態１．
図１〜８を参照して、本発明の実施の形態１に係る鍵管理装置１００の構成について説明する。
図１〜７に示すように、鍵管理装置１００は略直方体形状の鍵管理装置本体１０と複数の鍵ホルダ１とを有している。鍵管理装置本体１０は、図１に示すように、机等の水平面に直立して置かれた状態で使用される。このような使用状態において、鍵管理装置本体１０の高さ方向（鍵管理装置１００の載置面に垂直な方向）をＨ、奥行き方向をＷ、幅方向をＬとする。さらに、鍵管理装置本体１０の正面側をＦＲ、背面側をＢＫ、上面側をＴＰ、底面側をＢＴ、右側面側をＲＳ、左側面側をＬＳとする。また、鍵ホルダ１は、鍵管理装置１００によって利用が管理される鍵（図示せず）がそれぞれ取り付けられる部材である。
【００１３】
鍵管理装置本体１０は、正面側ＦＲから見て左側上部に鍵ホルダ保持部２を、右側に操作手段４を備えている。鍵ホルダ保持部２には、複数の鍵ホルダ１が保持される。また、鍵管理装置本体１０の正面側ＦＲから見て左側下部、すなわち鍵ホルダ保持部２の下方には、操作手段４に隣接して鍵交換部３０が設けられている。鍵交換部３０には、鍵の交換作業の際に、交換対象となる鍵が取り付けられている鍵ホルダ１を挿入することができる。なお、鍵ホルダ保持部２及び鍵交換部３０は、外パネル（図示せず）により覆い隠すことができるように構成されている。また、鍵管理装置本体１０の上面には緩やかに湾曲した略アーチ形状の把手１１が設けられている。さらに、図６に示すように、鍵管理装置本体１０の底面の四隅には、それぞれ支持脚１２が設けられている。
【００１４】
鍵ホルダ保持部２には、複数の鍵ホルダ１が挿入される鍵ホルダ挿入部２０が高さ方向Ｈに沿って３段分、並列して設けられている。鍵ホルダ挿入部２０はそれぞれ、断面が略直角三角形の帯形状の突出部分である（図３参照）。この鍵ホルダ挿入部２０の断面の略直角三角形は、長辺が斜め上方向に、短辺が斜め下方向に向くような形状に形成されており、この長辺部分が鍵ホルダ挿入面２２を構成している。これにより、鍵ホルダ挿入面２２は、鍵管理装置１００を水平面に直立させて置いた時に斜め上方向に面する傾斜面として形成される。すなわち、鍵ホルダ挿入面２２はそれぞれ、上端から下端に向かうにつれて手前側に位置するように高さ方向Ｈに対して所定の傾斜角Θで傾斜する傾斜面である。なお、鍵ホルダ挿入面２２の傾斜角Θは、それぞれ２５〜３０度である。また、それぞれの鍵ホルダ挿入面２２上には、鍵ホルダ１を挿入するための鍵ホルダ挿入孔２１が１０個ずつ幅方向Ｌに沿って互いに間隔を置いて設けられている。鍵ホルダ挿入孔２１は、鍵ホルダ１が鍵管理装置本体１０の正面側ＦＲから斜め下方向Ｉ、すなわち鍵ホルダ挿入面２２と垂直の方向に向かって挿入されるように形成される。すなわち、鍵ホルダ挿入孔２１は、高さ方向Ｈに対して傾斜する方向Ｉに形成される。また、鍵ホルダ挿入孔２１には、鍵ホルダ１が適正な位置に挿入されると鍵ホルダ１と係合して引き抜けないようにロックする係合手段２４が取り付けられている。
【００１５】
操作手段４は、高さ方向Ｈに沿って上下２段に並列して形成される第一傾斜面４ａ及び第二傾斜面４ｂを有している。第一傾斜面４ａは、操作手段４の上部に位置し、鍵管理装置１００を水平面に直立させて置いた時に斜め上方向に面する傾斜面として形成される。すなわち、第一傾斜面４ａは、上端から下端に向かうにつれて手前側に位置するように高さ方向Ｈに対して所定の傾斜角で傾斜する傾斜面である。第一傾斜面４ａの下端には段差面４３が形成されており、段差面４３は奥行き方向Ｗにわたって手前側から奥側へと延在している。そして、段差面４３を挟んで第一傾斜面４ａの下方には第二傾斜面４ｂが形成されている。第二傾斜面４ｂは、第一傾斜面４ａと同様に、鍵管理装置１００を水平面に直立させて置いた時に斜め上方向に面する傾斜面として形成される。すなわち、第二傾斜面４ｂは、上端から下端に向かうにつれて手前側に位置するように高さ方向Ｈに対して所定の傾斜角で傾斜する傾斜面である。
【００１６】
操作手段４の第一傾斜面４ａにおいて、正面側ＦＲから見て左側には表示パネル４０が設けられ、右側には表示パネル４０に隣り合うように接触式カードリーダ４１が設けられる。表示パネル４０は、例えば利用者が行うことができる操作の種類（鍵を利用するための利用操作及び鍵を交換するための交換操作等）、操作手順及び操作結果等の情報を利用者に表示するためのものである。また、表示パネル４０は、タッチパネル等により構成されており、例えば利用者が行う操作種類の指定等の情報入力を行うための入力手段も兼ねている。なお、操作手段４において、斜め上方向に面して傾斜する第一傾斜面４ａに表示パネル４０が設けられていることにより、利用者が表示パネル４０をより見やすくなり、操作の利便性が向上する。
【００１７】
また、接触式カードリーダ４１は、第一傾斜面４ａの上端から下端に向かって延在するカード挿通溝４１ａと、カード挿通溝４１ａに通されたカードの情報を読み取る読取手段（図示せず）を含んでいる。ここで、第一傾斜面４ａの下端に段差面４３が形成されていることにより、カード挿通溝４１ａの下端は開放される。また、カード挿通溝４１ａの底部は第一傾斜面４ａと平行に形成されている。そのため、カードの情報を接触式カードリーダ４１に読取らせる際、カード挿通溝４１ａの底部に沿って、斜め下方向に、カードを上端から下端までスムーズに引き抜くことができ、操作性が向上する。
【００１８】
また、操作手段４の第二傾斜面４ｂには、非接触式カードリーダ４２が設けられている。非接触式カードリーダ４２は、平面形状の読取手段４２ａと、断面が矩形の帯状の突起部である支持部４２ｂを有しており、支持部４２ｂは読取手段４２ａの下部に形成される。読取手段４２ａは、読取手段４２ａに重ねられたカードの情報を読取る。支持部４２ｂは、読取手段４２ａに重ねられたカードを支持する。また、支持部４２ｂには、接触式カードリーダ４１に通した後のカードを一時的に置くことができるため、操作性が向上する。また、表示パネル４０の操作を行っている間などにも、利用者は目の前にカードの所在を確認しながら作業を行うことになるので、セキュリティの向上に繋がる。
【００１９】
さらに、非接触式カードリーダを使用する場合、通常は、一度カードの情報をカードリーダに読取らせた後に操作を行い、利用者がクリアキーを押下するか、操作を行わないまま一定時間が経過した後にタイムアウトとなって操作が終了する。しかし、このような場合、利用者がクリアキーを押し忘れると直後に別の利用者によって操作が可能になってしまうおそれがあった。これに対し、この実施の形態に係る鍵管理装置１００の非接触式カードリーダ４２では、操作中にカードを支持部４２ｂに置いておくことができるため、カードの情報を読取手段４２ｂに常時読取らせながら操作を行うシステムを採用することができる。そして、このようなシステムにおいて利用者がカードを支持部４２ｂから取り外した時点で操作の権限がなくなって操作終了となり、それ以上は操作不能となる。従って、クリアキーの押し忘れによって他者がそのまま操作をすることができてしまうという危険がなくなり、セキュリティが向上する。
【００２０】
次に、鍵管理装置１００の使用方法について、説明する。
通常、鍵が取り付けられた鍵ホルダ１は鍵ホルダ保持部２の鍵ホルダ挿入孔２１に挿入された状態で、係合手段２４によってロックされて、引き抜くことができないようになっている。ここで、利用者がいずれかの鍵を使用しようとする時は、まず接触式カードリーダ４１又は非接触式カードリーダ４２によりカードの情報を読取らせる。この読取られた情報に基づいて、そのカードを有する利用者に与えられている権限が確認される。そして、いずれかの鍵を利用できる権限が利用者に与えられている場合、利用可能な鍵が取り付けられている鍵ホルダ１と係合手段２４とのロックが解除される。こうして、利用者は鍵ホルダ１ごと鍵を鍵ホルダ挿入孔２１から引き抜き、利用することができる。
【００２１】
また、利用者が鍵を使用した後は、鍵ホルダ１を対応する鍵ホルダ挿入孔２１に再び挿入しなおす。ここで、鍵ホルダ挿入孔２１が形成されている鍵ホルダ挿入面２２は斜め上方向に面して形成された傾斜面である。また、鍵ホルダ挿入孔２１は鍵ホルダ挿入面２２と垂直の方向、すなわち、高さ方向Ｈに対して傾斜する斜め下方向Ｉに形成される。そのため、図３に示すように、鍵ホルダ１は斜め下方向Ｉを向いて挿入される。そして、鍵ホルダ１は係合手段２４によって係合され、再び一定の解除操作を行わない限り引き抜くことができないようにロックされる。
【００２２】
次に、図８を用いて、利用者が鍵ホルダ１を鍵ホルダ挿入孔２１に挿入する時に、利用者の力によって鍵管理装置本体１０に働くことになるモーメントＭ１について説明する。モーメントＭ１は、背面側の支持脚１２を回転中心Ｒとして図８の紙面上反時計回りに働くモーメントであり、このモーメントＭ１が大きいと鍵管理装置１００は後方向に転倒する可能性がある。
鍵ホルダ保持部２の一番上の段の鍵ホルダ挿入部２０において、利用者が斜め下方向ＩにＰ１［Ｎ］の力で鍵ホルダ１を挿入する時、力Ｐ１の作用線と回転中心Ｒとの距離は、図８に示すようにＤ１である。従って、回転中心Ｒには図８の紙面上反時計周りにＭ１＝Ｐ１・Ｄ１［Ｎ・ｍ］のモーメントが働く。一方、もし鍵ホルダ挿入面２２が傾斜面ではなく、高さ方向Ｈと平行に形成されている場合は、鍵ホルダ挿入孔２１は高さ方向Ｈと垂直に形成され、利用者は鍵ホルダ１を鍵ホルダ挿入部に水平方向に挿し込まなければならない。その場合、一番上の段の鍵ホルダ挿入部２０の鍵ホルダ挿入孔２１の高さはＤ２なので、回転中心Ｒには図８の紙面上反時計回りのモーメントＭ２＝Ｐ１・Ｄ２［Ｎ・ｍ］が働く。ここで、Ｄ２よりもＤ１の方が短いため、利用者が同じ力で鍵ホルダ１を鍵ホルダ挿入孔２１に挿入した場合であっても、モーメントＭ１はモーメントＭ２よりも小さくなる。
【００２３】
以上より、鍵ホルダ挿入面２２の鍵ホルダ挿入孔２１は、鍵ホルダ１が鍵管理装置本体１０の正面側ＦＲから斜め下方向Ｉに向かって挿入されるように形成されるため、鍵ホルダ１が挿入される時の力によって鍵管理装置１００に働くモーメントＭ１が小さくなる。すなわち、鍵管理装置１００が後方向に転倒しにくくなる。それ故、ストッパ等で鍵管理装置１００を支える必要がなく、直立させたままで鍵ホルダ１を挿入することができるので、広い作業スペースを必要としない。よって、利用者は限られた作業スペースでも作業がしやすくなる。
また、鍵ホルダ挿入孔２１が設けられる鍵ホルダ挿入面２２が鍵管理装置本体１０における斜め上方向に面して傾斜していることにより、利用者が鍵ホルダ１を挿入する時、鍵ホルダ挿入孔２１が見やすくなり、作業の利便性が向上する。
【００２４】
なお、鍵ホルダ挿入面２２は、斜め下方向に面する傾斜面として形成することもできる。このような鍵ホルダ挿入面２２の変形例である鍵ホルダ挿入面２２’を有する鍵管理装置２００について、図９を参照して説明する。なお、以下の説明において、図１〜８の参照符号と同一の符号は同一又は同様の構成要素であるので、その詳細な説明は省略する。
鍵管理装置２００の鍵ホルダ保持部２’の鍵ホルダ挿入部２０’は、実施の形態１に係る鍵管理装置１００の鍵ホルダ挿入部２０と同様に、それぞれ断面が略直角三角形の帯形状の突出部分である。この鍵ホルダ挿入部２０’の断面の略直角三角形は、長辺が斜め下方向に、短辺が斜め上方向に向くような形状に形成されており、この長辺部分が鍵ホルダ挿入面２２’を構成している。これにより、鍵ホルダ挿入面２２’は、鍵管理装置１００を水平面に直立させて置いた時に斜め下方向に面する傾斜面として形成される。すなわち、鍵ホルダ挿入面２２’は、下端から上端に向かうにつれて手前側に位置するように高さ方向Ｈに対して所定の傾斜角Θ’で傾斜する傾斜面である。また、鍵ホルダ挿入孔２１は、鍵ホルダ１が鍵管理装置本体１０’の正面側ＦＲから斜め上方向Ｉ’、すなわち鍵ホルダ挿入面２２’と垂直の方向に向かって挿入されるように形成される。すなわち、鍵ホルダ挿入孔２１’は、高さ方向Ｈに対して傾斜する方向Ｉ’に形成される。また、鍵ホルダ挿入孔２１’には、実施の形態１の係合手段２４と同様に、鍵ホルダ１が引き抜けないようにロックする係合手段２４’が取り付けられている。
【００２５】
以上より、鍵ホルダ挿入孔２１’は、鍵ホルダ１が斜め上方向Ｉ’に向かって挿入されるように形成されるため、鍵ホルダ１が係合手段２４’によって充分にロックされていない場合は、鍵ホルダ１は重力に従って鍵ホルダ挿入孔２１’から滑り落ちる。よって、鍵管理装置２００において、鍵ホルダ１が鍵管理装置本体１０’内部の係合手段２４’によって充分にロックされたことを簡単に確認することができるため、セキュリティの向上に繋がる。
【符号の説明】
【００２６】
１  鍵ホルダ、２  鍵ホルダ保持部、１０  鍵管理装置本体、２１  鍵ホルダ挿入孔、２２  鍵ホルダ挿入面、１００  鍵管理装置、Ｉ  斜め下方向。
【図１】
2014231693.tif 000003
【図２】
2014231693.tif 000004
【図３】
2014231693.tif 000005
【図４】
2014231693.tif 000006
【図５】
2014231693.tif 000007
【図６】
2014231693.tif 000008
【図７】
2014231693.tif 000009
【図８】
2014231693.tif 000010
【図９】
2014231693.tif 000011